(57)【要約】【課題】電子写真画像形成装置において、各制御回路基板の接続を良好にし、更に、装置内の温度上昇を防止して部品の劣化を防ぎ、省スペース、低コストで高速化に対応できる画像形成装置を提供する。【解決手段】画像形成手段１〜７が、発光手段３１を有し、外部情報より像担持体を露光して静電潜像を形成する露光手段３、及び、定着手段７を含む画像形成装置１００において、画像形成制御手段が、少なくとも定着手段７の電力制御回路６２を含む第１の回路基板６０、外部情報からの画像データ処理を実行する第２の回路基板４０、及び処理された画像データに基づき露光手段３の発光手段３５の駆動制御を行う第３の回路基板３０、を有し、且つ、第１の回路基板６０は、画像形成装置の本体１００側壁面に平行もしくは略垂直方向に配置され、且つ、第３の回路基板３０に近接して配置され、第２の回路基板４０は、露光手段３に近接して配置される【選択図】図２
2005077639.tif 000002
【特許請求の範囲】
【請求項１】
像担持体と、該像担持体又は記録材に作用して、画像形成工程を実行して前記記録材にトナー像を形成する画像形成手段と、該画像形成手段を制御する画像形成制御手段と、を少なくとも有し、前記画像形成手段は、発光手段を有して外部情報より前記像担持体を露光して静電潜像を形成する露光手段、及び、前記トナー像を前記記録材に定着させる定着手段を含む画像形成装置において、
前記画像形成制御手段が、少なくとも前記定着手段の電力制御回路を含む第１の回路基板、前記外部情報からの画像データ処理を実行する第２の回路基板、及び前記処理された画像データに基づき前記露光手段の前記発光手段の駆動制御を行う第３の回路基板、を有し、
且つ、前記第１の回路基板は、画像形成装置の本体側壁面に平行もしくは略垂直方向に配置され、且つ、前記第３の回路基板に近接して配置され、前記第２の回路基板は、前記露光手段に近接して配置されることを特徴とする画像形成装置。
【請求項２】
前記第１の回路基板と前記第３の回路基板との間の距離は、前記第１の回路基板と前記像担持体との間の距離より短いことを特徴とする請求項１の画像形成装置。
【請求項３】
前記第２の回路基板と前記露光手段との間の距離は、前記第２の回路基板と前記像担持体との間の距離より短いことを特徴とする請求項１又は２の画像形成装置。
【請求項４】
前記第１の回路基板は、前記画像形成手段に係わる画像形成装置本体のハードウェアの制御を行うことを特徴とする請求項１、２又は３の画像形成装置。
【請求項５】
前記画像形成装置本体のハードウェアの制御とは、前記画像形成手段に備えられたモータ又はクラッチの駆動、前記画像形成手段に接続された電源の切り換えと出力制御であることを特徴とする請求項４の画像形成装置。
【請求項６】
前記第１の回路基板と前記第２の回路基板は、前記記録材搬送方向に平行に、且つ、それぞれが、互いに対向する装置側壁それぞれに沿って設けられることを特徴とする請求項１〜５のいずれかの項に記載の画像形成装置。
【請求項７】
前記第１の回路基板は、加熱手段が接続された前記定着手段の電力回路を含む電源回路基板と、前記第１の回路基板が備える回路の動作を制御する回路制御手段を含む駆動回路制御基板と、を有し、該駆動回路制御基板と前記第３の回路基板は、前記電源回路基板と前記第３の回路基板との距離より近い位置関係に配置されることを特徴とする請求項１〜６のいずれかの項に記載の画像形成装置。
【請求項８】
前記駆動回路制御基板が備える回路は、前記電源回路基板が備える回路よりも高い周波数の信号を受信することを特徴とする請求項７の画像形成装置。
【発明の詳細な説明】
【技術分野】
【０００１】
本発明は、電子写真方式を利用して画像形成を行う、特に、レーザプリンタやディジタル複写機、ファクシミリ等の画像記録装置に関するものである。
【背景技術】
【０００２】
従来、使用されてきた、電子写真方式で画像形成を行う画像形成装置であるレーザプリンタ（以下、「ＬＢＰ」と称す。）について、各機能部品の配置構成の一例を、図８、９、１０を用いて、説明する。尚、図８は、従来例であるＬＢＰ１００の要部構成の横断面図、図９は、鉛直上方から見た要部構成配置図、図１０は、主要回路基板の機能ブロック図である。
【０００３】
ＬＢＰ１００は、画像形成動作を制御する画像形成制御手段として、図８に示すように、第１の回路基板であるプリンタエンジンの制御を司るエンジン回路基板５０を有する。エンジン回路基板５０には、回路制御手段であるＣＰＵが配置されており、画像形成手段に係わる画像形成装置本体のハードウェアの制御、即ち、画像形成工程を実行する画像形成手段の駆動の制御、つまり、各画像形成手段の高圧電源、モータ、クラッチ、スキャナ、レーザ等の制御を行っており、外部情報から読み取られた画像をに基づいて、像担持体である感光ドラム１上に潜像を形成するための露光操作を行う、画像形成手段のひとつとしての潜像形成手段である露光手段（スキャナ）３とは、ケーブル１３０で接続されている。
【０００４】
そして、潜像が形成される像担持体は、有機感光層を有する感光ドラム１であり、露光によって潜像が形成される前に感光ドラム１を一様に帯電する帯電手段としての一次帯電ローラ２、帯電ローラ２によって一様に帯電された感光ドラム１表面を露光することによって、静電潜像を形成する潜像形成手段としての露光手段（レーザスキャナ）３、感光ドラム１表面に形成された静電潜像に現像剤を付着させて現像剤像（トナー像）を形成する現像手段としての現像器４、トナー像を記録材に転写する転写手段としての転写ローラ５、感光ドラム１上に転写後に残留した現像剤を除去するクリーナ６、記録材にトナー像を定着させる定着手段としての定着器７等の、前記帯電、露光、現像、転写、定着等の画像形成工程を行う画像形成手段を有する。
【０００５】
又、記録材が収容されている標準カセット８ａには給紙ローラ８ｃ、オプションカセット８ｂには給紙ローラ８ｄが備えられ、これらの給紙ローラ８ｃ、８ｄにより給紙された記録材は、搬送ローラ９ａ、レジストローラ９ｂにより転写部ｔａに導かれ、上記の画像形成手段により感光ドラム１表面に形成されたトナー像は、転写ローラ５によって、記録材上に転写される。トナー像が転写された記録材は、定着器７に導かれ、加熱定着された後、搬送ローラ９ｃ、９ｄ、及び排紙ローラ１１により搬送され、排紙トレー１０上に出力される。
【０００６】
図９において、ＬＢＰ１００を上方から見るとわかるように、ＬＢＰ１００は、上記の画像形成手段とは別の位置に、画像形成制御手段としての第２の回路基板として、装置側面端部に鉛直方向に設けられた画像データ処理回路基板（以下、「イメージコントローラ」と称す。）４０を備え、それによって、ホストコンピュータ等の外部機器９０（図１０）からの画像データを本画像形成装置１００の出力速度、出力形式に応じたシリアルデータに変換する。そして、イメージコントローラ４０によって求められたシリアルデータに基づいて、エンジン回路基板５０によって、感光ドラム１、定着器７、及び搬送ローラ９ａ〜９ｄ等の駆動源となるメインモータ２０、駆動ギア列２１による各画像形成手段の駆動を制御する。
【０００７】
そして、上記画像形成手段の下方に水平に備えられたエンジン回路基板５０は、レーザスキャナ３と連絡し、レーザスキャナ３には、画像形成制御手段としての第３の回路基板であるレーザ駆動回路基板３０が備えられ、レーザ駆動回路基板３０とエンジン回路基板５０とはケーブル１３０を介して接続されており、画像データ処理基板４０とエンジン回路基板５０とはケーブル１３１を介して接続されている。
【０００８】
つまり、ＬＢＰ１００は、画像形成手段の駆動を制御する画像形成制御手段として、第１の回路基板としてのエンジン回路基板５０、第２の回路基板としてのイメージコントローラ４０、第３の回路基板としてのレーザ駆動回路基板３０と、の少なくとも３つの回路基板を設けている。図８及び図９に示した、これらの各回路基板３０、４０、５０の機能について、図１０の機能ブロック図を用いて、説明する。
【０００９】
第１の回路基板であるエンジン回路基板５０は、画像形成装置本体のハードウェアを制御する回路であり、モータ駆動回路部５５、高圧電源回路部（Ｈ．Ｖ）５４、電源回路５３、不図示のトライアック、トランジスタ、コンデンサ等を有し、定着器７に設けられた加熱手段である定着ヒータ７００への通電制御を行う通電制御回路５２、及び回路制御手段のプロセッサ（ＣＰＵ）５１等を備え、高圧電源回路部５４は、上記の各画像形成手段による感光ドラム１に関わる帯電、現像、転写等の各画像形成工程に必要なバイアスを発生させ、電源回路５３は、そのバイアスの印加を行い、回路制御手段であるプロセッサ５１は、これらの各回路を制御する。
【００１０】
第２の回路基板であるイメージコントローラ基板４０は、エンジン回路基板５０との通信を行うプロセッサ４１、制御ＲＯＭ、及びビットマップデータを一時格納するＲＡＭ等から構成され、ホストコンピュータ等の外部機器９０からの画像データを、このＬＢＰ１００の画像データの展開形式に合ったシリアルデータに変換する。
【００１１】
そして、第３の回路基板であるレーザ駆動回路基板３０は、レーザスキャナであるスキャナユニット３に設けられ、レーザスキャナ３は、他に、半導体レーザ３１、ポリゴンミラー３２及びスキャナモータ３３、結像光学系３４、折り返しミラー３５（図８、図９）が備えられ、イメージコントローラ基板４０からの画像展開データに基づき、レーザ駆動回路基板３０が駆動する発光手段である半導体レーザ３１からのレーザ光を、ｆ−θレンズ等にて構成される結像光学系３４を介して、感光ドラム１上にポリゴンミラー３２とスキャナモータ３３で構成されるポリゴンスキャナ３６が水平走査し、その間、ＢＤセンサ（不図示）が水平同期信号を発生させる。
【００１２】
しかしながら、以上に説明した構成の従来例では、図８に示されるように、エンジン回路基板５０を、記録材が転写部ｔａを通過する、感光ドラム１等の画像形成手段の下方の記録材搬送路９ａ、９ｂ、９ｃと、記録材がそこから補給される給紙カセット８ａ、８ｂと、の間に配置させ、又、レーザスキャナユニット３を、像形成装置、つまり感光ドラム１等の上方に配置させていた。
【００１３】
そのため、エンジン回路基板５０とスキャナユニット３、及びイメージコントローラ４０との各接続は、束線あるいはＦＦＣ等で行われているが、特に第１の回路基板であるエンジン制御回路基板５０と、第３の回路基板であるレーザ駆動回路基板３０を有するスキャナユニット３と、は、それぞれが画像形成装置の底面付近と天板付近に配置されたユニット間がケーブル１３０によって接続されるため、ケーブル１３０の長さは装置１００内のユニット間を接続させるケーブルの中では比較的長いものとなっていた。
【００１４】
近年、パソコンの高速化に伴いＬＢＰには高解像度化と高速化が求められており、一つの画素に相当するレーザの点燈時間は短くなると共に、グラフィックス画像を出力させた場合における階調性の向上を計るために一つの画素をさらに４分割、８分割させて、より細かな静電潜像を像担持体上に形成し、階調性の優れた画像の再現が求められている。
【００１５】
そのため、ＬＢＰは、記録材の搬送速度（プロセススピード）が１００ｍｍ／秒、１２００ｄｐｉ程度の出力速度と解像度を実現させるために、レーザの駆動信号（ＶＤＯ信号）は、ＭＨｚからギガＨｚ帯となり、その結果、各回路基板３０、４０、５０間の高周波信号を取り扱う接続ケーブル１３０、１３１が長くなると電磁界放射ノイズ（ＲＦＩ）が大きくなり、その対策が必要になる。
【００１６】
この対策の為、フェライトコア等から構成されるノイズフィルターを束線に近接させたり、シールド電線を使用していたが、コストが高くなるという難点があった。
【００１７】
又、エンジン回路基板５０に設けられた通電制御回路５２は、不図示のトライアック、パワートランジスタ、コンデンサ等から構成され、１００ｍｍ／秒程度の速度で通紙を行う画像形成装置であれば通紙時に４００〜５００Ｗ程度の電力を消費する定着ヒータ７００への通電制御を行うために、発熱量が比較的大きい。
【００１８】
この発熱量の大きい通電制御回路部５２が備えられた第１の回路基板であるエンジン回路基板５０を本体１００底面に水平配置している為、通電制御回路部５２で発生した熱は画像形成装置１００全体に拡散するため、機内温度が全体的に上昇し、特に記録材の長手巾全面、及び、画像形成手段（像形成装置）の中心部に配置される感光ドラム１や現像器４、クリーナ６等、の温度上昇を招き、部品の劣化や画質の低下などの弊害を生みやすく、又、これを回避する為、ファン等の空冷手段を用いる必要が生じ、装置のコストアップをまねいていた。
【００１９】
又、特許文献１に記載されているように、画像形成装置１００の給紙口を正面として、エンジン回路基板５０を像形成装置の背面に配置させる構成もあるが、この場合、像形成装置の奥行き寸法が大きくなるため、画像形成装置１００をデスク上に配置させる場合など、奥行き寸法が大きくなる分使い勝手が悪いといった問題があった。
【特許文献１】特開平０５−０１９５５３号公報
【発明の開示】
【発明が解決しようとする課題】
【００２０】
本発明の目的は、電子写真画像形成装置において、画像形成手段の動作を制御する各制御回路基板の接続を良好にし、電磁界放射ノイズや装置内の温度上昇を防止して部品の劣化を防ぎ、省スペース、低コストで高速化に対応できる画像形成装置を提供することである。
【課題を解決するための手段】
【００２１】
上記目的は本発明に係る画像形成装置にて達成される。要約すれば、本発明は、像担持体と、該像担持体又は記録材に作用して、画像形成工程を実行して前記記録材にトナー像を形成する画像形成手段と、該画像形成手段を制御する画像形成制御手段と、を少なくとも有し、前記画像形成手段は、発光手段を有して外部情報より前記像担持体を露光して静電潜像を形成する露光手段、及び、前記トナー像を前記記録材に定着させる定着手段を含む画像形成装置において、
前記画像形成制御手段が、少なくとも前記定着手段の電力制御回路を含む第１の回路基板、前記外部情報からの画像データ処理を実行する第２の回路基板、及び前記処理された画像データに基づき前記露光手段の前記発光手段の駆動制御を行う第３の回路基板、を有し、
且つ、前記第１の回路基板は、画像形成装置の本体側壁面に平行もしくは略垂直方向に配置され、且つ、前記第３の回路基板に近接して配置され、前記第２の回路基板は、前記露光手段に近接して配置されることを特徴とする画像形成装置を提供する。
【００２２】
本発明の一実施態様によると、前記第１の回路基板と前記第２の回路基板は、前記記録材搬送方向に平行に、且つ、それぞれが、互いに対向する装置側壁それぞれに沿って設けられる。
【００２３】
本発明の他の実施態様によると、前記第１の回路基板は、加熱手段を接続された駆動回路を含む電源回路基板と、前記第１の回路基板が備える回路の動作を制御する回路制御手段を含む駆動回路制御基板と、を有し、該駆動回路制御基板と前記第３の回路基板は、前記電源回路基板と前記第３の回路基板との距離より近い位置関係に配置される。
【発明の効果】
【００２４】
本発明の画像形成装置は、画像形成手段が、発光手段を有し、外部情報より像担持体を露光して静電潜像を形成する露光手段、及び、記録材にトナー像を定着する定着手段を含む画像形成装置において、画像形成制御手段が、少なくとも定着手段に対する電力制御回路を含む第１の回路基板、外部情報からの画像データ処理を実行する第２の回路基板、及び処理された画像データに基づき露光手段の発光手段の駆動制御を行う第３の回路基板、を有し、且つ、第１の回路基板は、画像形成装置の本体側壁面に平行、もしくは略垂直方向に配置され、且つ第３の回路基板に近接して配置され、第２の回路基板は、露光手段に近接して配置されるので、下記（１）、（２）及び（３）に記載の効果が得られる。
（１）第２の回路基板としてのイメージコントローラと第３の回路基板に備えられた露光手段であるレーザスキャナ、及び、第１の回路基板に備えられた回路制御手段であるプロセッサから第３の回路基板に備えられたレーザスキャナを結ぶ高周波配線部を短く構成することで電磁界放射ノイズ（ＲＦＩ）の発生、及びノイズを受けることによる誤動作の発生を抑え、それによって電磁界放射ノイズに対する対策コストを低減させることが可能になる。
（２）更に、第１の回路基板に備えられた通電制御回路基板を、略垂直方向に配置させることにより、回路から生じた熱を基板面に沿って鉛直方向に排熱させることが可能になるため、水平に配置させた場合に比べ、像形成装置内への熱の拡散を大幅に抑えることが可能になる。それにより、空冷ファンなどの手段を用いなくとも機内昇温を抑えることが可能となり、低コストで画像形成動作工程における画像通紙領域、及び装置本体の中心部に配置されている部材の昇温を抑え、部品の劣化や画質の劣化を防止できる。
（３）更に、第１の回路基板、第２の回路基板であるイメージコントローラ基板を記録材搬送方向に平行に配置させることにより、像形成装置の奥行き寸法を抑え、省スペースの画像形成装置が提供できる。
【発明を実施するための最良の形態】
【００２５】
以下、本発明に係る画像形成装置を図面に則して更に詳しく説明する。
【００２６】
実施例１
図１、２、３を用いて、本発明の実施例１の説明を行う。図１は、本発明を適用した画像形成装置であるレーザプリンタ（ＬＢＰ）２００の要部の構成配置を示した横断面図、図２は、鉛直上方から見た要部構成配置図、図３は、主要回路基板の機能ブロック図である。尚、本実施例のＬＢＰ２００における画像形成手段、及び画像形成手段が行う画像形成工程は従来例１００と同様であるので、詳しい説明を省略する。
【００２７】
本実施例では、図１、２に示すように、画像形成制御手段として、従来例１００に設けられたものと同様の回路制御手段であるプロセッサ６１（図３）を有し、各画像形成手段の制御をする第１の回路基板としての、プリンタエンジンの制御を司るエンジン回路基板６０が設けられているが、従来例１００とＬＢＰ２００本体における配置が違って、本体側面に沿って平行に、且つ第２の回路基板であるイメージコントローラ基板４０の近傍に設けられたモータ２０、駆動ギア列２１が配置される側面と対向する側面に配置されている。
【００２８】
尚、図１に示すように、従来例１００同様の構成、画像形成工程を行う有機感光層を有する感光ドラム１、一次帯電ローラ２、レーザスキャナ３、現像器４、転写ローラ５、クリーナ６、定着器７等の画像形成手段が、従来例１００と同様の位置に設置される。又、標準カセット８ａに設置された標準カセット給紙ローラ８ｃ、オプションカセット８ｂに設置された給紙ローラ８ｄにより給紙された記録材が、搬送ローラ９ａ、レジストローラ９ｂにより転写部ｔａに導かれ、感光ドラム１上に形成された現像剤像（トナー像）が、転写ローラ５によって転写される。トナー像が転写された記録材は、定着器７に導かれて加熱定着された後、搬送ローラ９ｃ、９ｄ、及び、排紙ローラ１１により送られ、排紙トレー１０上に出力される。
【００２９】
図２に示すように、ホストコンピュータ等の外部機器９０（図３）からの画像データを本画像形成装置２００の出力速度、出力形式に応じたシリアルデータに変換する、第２の回路基板であるイメージコントローラ４０が、従来例同様に、装置側面に沿って重力方向に設けられ、感光ドラム１、定着器７、及び搬送ローラ９ａ〜９ｄ等の駆動源となるメインモータ２０、駆動ギア列２１近傍に設けられている。尚、エンジン回路基板６０とは像形成装置を挟んで対向している配置となる。
【００３０】
そして、レーザスキャナ３には、第３の回路基板であるレーザ駆動回路基板３０が設けられ、レーザ駆動回路基板３０と上記の画像形成装置２００側端部に沿って平行に設けられたエンジン回路基板６０とはケーブル１５０を介して接続され、イメージコントローラ４０とはケーブル１５１を介して接続されている。
【００３１】
つまり、ＬＢＰ２００は、画像形成手段の駆動を制御する画像形成制御手段として、従来例１００同様の、第１の回路基板としてのエンジン回路基板６０、第２の回路基板としてのイメージコントローラ４０、第３の回路基板としてのレーザ駆動回路基板３０と、の少なくとも３つの回路基板を設けている。図１及び２に示した、これらの各回路基板３０、４０、６０の機能について、図３の機能ブロック図を用いて、説明する。
【００３２】
第１の回路基板である、エンジン回路基板６０は、画像形成装置本体のハードウェアを制御する回路である。つまり、各々が図３に示すように、プロセッサ６１に接続された、通電制御回路部６２、モータ駆動回路部６５、高圧電源回路部（Ｈ．Ｖ）６４、及び電源回路６３、等を備え、回路制御手段であるプロセッサ（ＣＰＵ）６１は、各駆動回路６２〜６５を制御し、画像形成手段に備えられたモータ、クラッチ、スキャナ、レーザ等の制御、画像形成工程における各画像形成手段と感光ドラム１へのバイアス印加、記録材搬送速度及び画像形成手段の回転速度調整等を行う。
【００３３】
ここで、高圧電源回路部６４は、プロセッサ６１の信号により、上記の各画像形成手段による感光ドラム１に関わる帯電、現像、転写等の各プロセスに必要なバイアスを発生させ、電源回路６３は、そのバイアスの印加を行う。通電制御回路６２は、不図示のトライアック、パワートランジスタ、コンデンサ等から構成され、１００ｍｍ／秒程度の速度で通紙を行う画像形成装置であれば通紙時に４００〜５００Ｗ程度の電力を消費する、定着器７に備えられた加熱手段である定着ヒータ７００への通電制御を行うために、発熱量が比較的大きい。
【００３４】
第２の回路基板であるイメージコントローラ基板４０は、従来例と同様に、エンジン回路基板６０との通信を行うプロセッサ４１、制御ＲＯＭ、及びビットマップデータを一時格納するＲＡＭ等から構成され、ホストコンピュータ等の外部機器９０からの画像データを、このＬＢＰ１００の画像データの展開形式に合ったシリアルデータに変換する。
【００３５】
第３の回路基板であるレーザ駆動回路基板３０も、従来例と同様に、レーザスキャナであるスキャナユニット３に、半導体レーザ３１、ポリゴンミラー３２及びスキャナモータ３３、結像光学系３４、折り返しミラー３５（図１、図２）と共に備えられ、レーザスキャナ３は、イメージコントローラ基板４０からの画像展開データに基づき、レーザ駆動回路基板３０が駆動する発光手段である半導体レーザ３１からのレーザ光を、ｆ−θレンズ等にて構成される結像光学系３４を介して、感光ドラム１上にポリゴンミラー３２とスキャナモータ３３とで構成されるポリゴンスキャナ３６が水平走査し、その間、ＢＤセンサ（不図示）が水平同期信号を発生させる。
【００３６】
つまり、本実施例においては、上記に説明したように発熱量の大きい通電制御回路６２や、それに接続されている高圧電源回路部６４、高圧電源回路６４に接続されている電源回路６３を有する制御回路基板６０を、像形成装置ＬＢＰ本体の外装側面に近接させて配置させるため、回路６０から生じた熱は、外装側面に沿って排熱されるため、従来例に示したように通電制御回路６２を含むエンジン回路基板６０を像形成装置の記録材搬送路の下側に水平配置させた場合に比べ、機内の昇温が抑えられる。
【００３７】
特に、現像器４や帯電ローラ２、クリーナ６等の感光ドラム１に近接配置され、且つ現像剤であるトナーを表面に帯びている部材の昇温の防止をファン等の空冷手段を使用することなく可能となるため、画像形成装置を省スペース、低コストで設計することが可能になる。
【００３８】
更に、レーザ駆動回路基板３０とＣＰＵ６１との距離を近接させることで、イメージコントローラ４０を介したＶＤＯ信号等の高周波信号制御を安定させ、且つ、電磁界放射ノイズ（ＲＦＩ）の低減をフェライトコアの使用を抑えたり、シールドケーブルの使用量を抑えるなど、より低コストな構成で実現させることが可能になる。
【００３９】
尚、本実施例では、第１の回路基板と第２の回路基板は、記録材搬送方向に平行に、しかも装置本体の対向した側面にそれぞれ沿って備えられるので、像形成装置の奥行き寸法を抑え、デスク上に配置させても使い勝手の良いコンパクトな画像形成装置が提供できるが、これらを対向する２つの側面に設置させる配置に限定されるものではない。
【００４０】
又、第１の前記回路基板と第３の回路基板との間の距離は、互いの機能を発揮できる範囲で、できるだけ近接させるが、少なくとも、第１の回路基板と感光ドラム１との間の距離より短く配置する。
【００４１】
第２の回路基板とレーザスキャナとの間の距離も同様にできるだけ近接させるが、少なくとも第２の回路基板と感光ドラムとの間の距離より短いように配置する。
【００４２】
実施例２
図４、５、６、７を用いて本発明の実施例２の説明を行う。図４は、本発明を適用した画像形成装置であるレーザプリンタ（ＬＢＰ）３００の要部の構成配置を示した横断面図、図５は鉛直上方から見た要部構成配置図、図６は、主要回路基板の機能ブロック図、図７は、本ＬＢＰ３００の外観斜視図である。
【００４３】
本実施例は、実施例１のエンジン回路基板６０を、電源回路７３、定着ヒータ７００への通電制御回路７２等を含む回路部分７１０と、ＣＰＵ７１を含む信号（データ）処理回路部分７２０との２つに分割し、ＣＰＵ７１を含むデータ処理回路部７２０をレーザ駆動回路基板３０ａにより近接させたことを特徴とする。
【００４４】
第１の回路基板であるエンジン回路基板に含まれた通電制御回路７２は、通紙時に４００〜５００Ｗ程度の電力を消費する定着ヒータ７００への通電のＯＮ／ＯＦＦを、不図示のトライアック、ＣＭＯＳトランジスター、コンデンサー等から構成される回路で行っているために、比較的発熱量が大きい。
【００４５】
そこで、第１の回路基板を、電源回路７３、通電制御回路７２、高圧電源回路部７４等を含み、装置側面に沿って鉛直方向に配置される電源回路基板７１０と、モータ駆動回路部７５、回路制御手段であるＣＰＵ７１等を含み、レーザスキャナ３ａの直上方に配置される駆動回路制御基板（データ処理回路基板）７２０と、に分割して配置した。
【００４６】
本実施例に示すＬＢＰ３００は、実施例１に示したＬＢＰ２００と比較すると、像担持体である感光ドラム１ａ、現像器４ａ、転写ローラ５ａ、定着器７ａ、及びクリーナ６ａ等の画像形成手段（像形成装置）と、記録材を収容する実施例１同様の標準カセット８ａ、オプションカセット８ｂ、及び排紙ローラ１２の配置は、実施例１と異なり、給紙後の記録材搬送経路が、ほぼ鉛直方向になるように配置されている。つまり、装置下方の記録材が収容されたカセット８ａ、８ｂから上方に向かって、感光ドラム１ａと転写ローラ５ａとの対向部である転写部ｔａ、定着器７ａ、排紙トレー１０、が配置されている。そのことによって、レーザスキャナ３ａを、実施例１のように像形成装置の上方に配置する必要がなくなる。こうした画像形成装置３００においては、電源回路基板７１０よりも高周波信号を取り扱うデータ処理回路部分７２０を、レーザスキャナ３ａのより近くに配置できる。その結果、データ処理回路７２０とレーザ駆動回路基板３０ａとを結ぶ高周波ケーブル１７０の長さを短く設定することが可能になるため、電磁界放射ノイズの発生レベルを低減させることが可能になる。
【００４７】
又、このように、記録材搬送経路が鉛直方向になる構成をとると、給紙部から排紙部までの距離が、実施例１の構成に比べて短くなるため、紙の搬送速度が同じであれば、プリントジョブコマンドを送ってからプリントアウトされるまでの待ち時間が、短縮される。又、紙パスを短く出来るので、フレームシャーシ、エンジンサイズ、外装を小さく出来るため、コストを下げることが可能になる。
【００４８】
そして、電源回路基板７１０とデータ処理回路基板７２０は、ケーブル１７３によって接続され、データ処理回路基板７２０とレーザ駆動回路基板３０ａは、ケーブル１７０によって接続され、データ処理回路基板７２０とイメージコントローラ４０とは、ケーブル１７１によって接続される。
【００４９】
図４及び図５に示した、上記の各回路基板７１０、７２０、３０、４０の機能について、図６の機能ブロック図を用いて、説明する。
【００５０】
第１の回路基板において、電源回路基板７１０に備えられた、高圧電源回路部７４は、上記の各画像形成手段による感光ドラム１ａに関わる帯電、現像、転写等の各プロセスに必要なバイアスを発生させ、電源回路７３は、そのバイアスの印加を行い、データ処理回路部分７２０に設けられたプロセッサ７１は、各駆動回路を制御する。
【００５１】
第２の回路基板であるイメージコントローラ基板４０は、電源回路基板７１０及びデータ処理回路部７２０との通信を行うプロセッサ４１、制御ＲＯＭ、及びビットマップデータを一時格納するＲＡＭ等から構成され、ホストコンピュータ等の外部機器９０からの画像データを、このＬＢＰ１００の画像データの展開形式に合ったシリアルデータに変換する。
【００５２】
そして、レーザスキャナであるスキャナユニット３ａは、半導体レーザ３１ａ、ポリゴンミラー３２ａ及びスキャナモータ３３ａ、結像光学系３４ａ、折り返しミラー３５ａ、第３の回路基板であるレーザ駆動回路基板３０ａが備えられ、イメージコントローラ基板４０からの画像展開データに基づき、レーザ駆動回路基板３０ａが駆動する半導体レーザ３１ａからのレーザ光を、ｆ−θレンズ等にて構成される結像光学系３４ａを介して、感光ドラム１上にポリゴンミラー３２ａとスキャナモータ３３ａとで構成されるポリゴンスキャナ３６ａが水平走査し、その間、ＢＤセンサ（不図示）が水平同期信号を発生させる。
【００５３】
本実施例においては、スキャナ３ａの位置を上方から下げたことによって、図７のＬＢＰ３００の外観斜視図に示すように、ＬＢＰ３００外装側面上部に形成されたルーバ３１０を有する構成を実現させため、側面に配置された電源基板７１０等からの熱で温められた空気の排出を促し、ＬＢＰ３００内の昇温を抑える機能を有している。
【００５４】
そして、本実施例においては、発熱量の大きな電源回路基板７１０と高周波信号処理を行うデータ処理基板７２０とを分離させ、電源回路基板７１０を像形成装置の側壁面に縦配置させると共に、高周波信号の処理を行うＣＰＵ７１周りの回路基板７２０を、同じく高周波信号処理を行うレーザ駆動回路基板３０ａとイメージコントローラ４０に、より近接配置させる。
【００５５】
本構成を採用することにより、電源回路基板７１０から発生する熱は側壁面に沿って上昇し、ルーバ３１０からの排熱が促されるため、データ処理回路基板７２０やレーザ駆動回路基板３０ａ、スキャナモータ３３ａ等の昇温に及ぼす影響を、より低減させられるとともに、温められた空気が側壁面付近を上昇するようになるため、通紙部に配置される感光ドラム１ａや現像器５ａ、クリーナ６ａ等電子写真プロセスを実行する上で重要なパーツ類の昇温をより抑えることが可能になる。
【００５６】
更に、高周波信号処理を行うイメージコントローラ４０とレーザ駆動回路基板３０ａ、及びこれらとデータ処理回路基板７２０を近接させて配置させることが可能になるため、基板間の接続を高コストとなりがちなシールドケーブルで行う場合においてもケーブル長を短くさせる、あるいは基板間を直接コネクター接続させることが可能となり従来例に比べ、より低コストで電磁界放射ノイズ（ＲＦＩ）対策を行うことが可能になる。
【００５７】
エンジン制御回路部を電源回路基板とデータ処理回路基板とに分割する構成は、実施例１のように記録材搬送路を水平に設けた画像形成装置においても有効である。
【００５８】
以上に説明した画像形成装置の構成部品の寸法、材質、形状、及びその相対位置などは、特に特定的な記載がない限りは、この発明の範囲をそれらのみに限定する趣旨のものではない。
【図面の簡単な説明】
【００５９】
【図１】本発明に係る画像形成装置の一例を示す概略構成断面図である。
【図２】本発明に係る画像形成装置の一例を示す概略構成上視図である。
【図３】本発明に係る画像形成制御手段の一例を示す回路ブロック図である。
【図４】本発明に係る画像形成装置の他の例を示す概略構成断面図である。
【図５】本発明に係る画像形成装置の他の例を示す概略構成上視図である。
【図６】本発明に係る画像形成制御手段の他の例を示す回路ブロック図である。
【図７】本発明に係る画像形成装置の他の例を示す斜視図である
【図８】従来の画像形成装置の一例を示す概略構成断面図である。
【図９】従来の画像形成装置の一例を示す概略構成上視図である。
【図１０】従来の画像形成制御手段の一例を示す回路ブロック図である。
【符号の説明】
【００６０】
１      感光ドラム（像担持体）
３      レーザスキャナ（露光手段）
７      定着器（定着手段）
３０    レーザ駆動回路基板（第３の回路基板）
３５    半導体レーザ（発光手段）
４０    イメージコントローラ（第２の回路基板）
５０、６０、７０  エンジン回路基板（第１の回路基板）
５１、６１、７１  プロセッサ（回路制御手段）
５２、６２、７２  通電制御回路
１００、２００、３００  ＬＢＰ（画像形成装置本体）
７００  定着ヒータ（加熱手段）
７１０  電源回路基板
７２０  データ処理回路基板（駆動回路制御基板）
【図１】
2005077639.tif 000003
【図２】
2005077639.tif 000004
【図３】
2005077639.tif 000005
【図４】
2005077639.tif 000006
【図５】
2005077639.tif 000007
【図６】
2005077639.tif 000008
【図７】
2005077639.tif 000009
【図８】
2005077639.tif 000010
【図９】
2005077639.tif 000011
【図１０】
2005077639.tif 000012